(57)【要約】  通信用光ファイバーを分配するためのエンクロージャ（１００）は、分配ケーブルからの少なくとも１つのファイバー及び少なくとも１つのドロップファイバーを収容するハウジングと、ハウジング内に配置可能な、摘出可能なファイバーオーガナイザー（１３０）と、を含む。摘出可能なファイバーオーガナイザーは、ファイバーランプ（１４０）に回転可能に結合された少なくとも１つのスプライストレー（１５１ａ、ｂ）を含み、ファイバーランプは、ハウジング内に分離可能に配置される。ファイバーたるみ収納ユニットが、ハウジング内に配置され、このファイバーたるみ収納ユニットは、ファイバーのたるみを巻き取るように構成されたファイバーたるみ収納トレー（１２２）を含む。ランプは、ファイバーたるみ収納ユニットからの分配ファイバー（１０６ａ、ｂ）及びドロップファイバー（１０８）を受容し、かつこれらのファイバーを少なくとも１つのスプライストレーに誘導するように構成される。この摘出可能なファイバーオーガナイザーを備えたエンクロージャにより、敷設者又はサービス技術者は、特に立ち上がりクローゼット又は地中チャンバ内に位置するエンクロージャについて、ファイバースプライスに対する作業が快適な姿勢で行えるようになる。【選択図】図２Ａ
2012503785.tif 000002
【特許請求の範囲】
【請求項１】
通信用光ファイバーを分配するためのエンクロージャであって、
分配ケーブルからの少なくとも１つの光ファイバー及び少なくとも１つのドロップファイバーを収容するハウジングと、
前記ハウジング内に配置可能な、摘出可能なファイバーオーガナイザーであって、前記摘出可能なファイバーオーガナイザーは、ファイバーランプに回転可能に結合された少なくとも１つのスプライストレーを含み、前記ファイバーランプは、前記ハウジング内に分離可能に配置された、ファイバーオーガナイザーと、
前記ハウジング内に配置されたファイバーたるみ収納ユニットであって、前記ファイバーたるみ収納ユニットは、ファイバーのたるみを巻き取るように構成されたファイバーたるみ収納トレーを含み、前記ランプが、前記ファイバーたるみ収納ユニットからの分配ファイバー及びドロップファイバーを受容し、かつ前記光ファイバーを前記少なくとも１つのスプライストレーに誘導するように構成された、ファイバーたるみ収納ユニットと、
を含む、エンクロージャ。
【請求項２】
前記分配ファイバー及び前記ドロップファイバーを束にして固定するように構成されたファイバーアンカーを更に含み、前記アンカーが、前記ハウジングの内壁上に形成された取り付けスロット内に摺動可能に受容可能である、請求項１に記載のエンクロージャ。
【請求項３】
前記ファイバーランプが、
ファイバー導入部分及びファイバー導出部分であって、各部分が、導入又は導出ファイバーの余分な動きを制限する保持構造を含む、ファイバー導入部分及びファイバー導出部分と、
前記導入又は導出ファイバーを屈曲領域の周囲に沿って前記少なくとも１つのスプライストレーに誘導する、第１及び第２のランプチャネルと、
ハウジングに形成された１つ以上の受容孔に解放可能に係合するように構成された、１つ以上の取り付けポストと、
を含む、請求項１に記載のエンクロージャ。
【請求項４】
１つ以上の取り付けポストが、前記ハウジングの１つ以上の内壁面上に形成された１つ以上の取り付けスロットを介して１つ以上の受容孔に誘導される、請求項３に記載のエンクロージャ。
【請求項５】
前記保持構造内に配置された支持ガスケットを更に含み、前記ガスケットが、前記導入又は導出ファイバーをぴったり保持し、放射状の支持を提供するように構成された、請求項３に記載のエンクロージャ。
【請求項６】
前記少なくとも１つのスプライストレーが、前記ランプと回転可能に係合可能であり前記スプライストレーの外側部分上に配置されたラッチ機構を含み、前記ラッチ機構が、結合部分と、スプライストレー本体の主領域から離れて延在する拡張部として形成された１つ以上のファイバー導入／導出チャネルとを含み、前記１つ以上のファイバー導入／導出チャネルのそれぞれが、 ファイバー回路プラットフォーム上に形成された対応するファイバー誘導チャネルに近接する位置まで延在する、請求項１に記載のエンクロージャ。
【請求項７】
前記少なくとも１つのスプライストレーの前記１つ以上のファイバー導入／導出チャネルが、わずかに湾曲した構成で延在する、請求項６に記載のエンクロージャ。
【請求項８】
前記スプライストレーが、スプライシング領域を含み、前記スプライシング領域が、１×Ｎ光ファイバースプリッター、２×Ｎ光ファイバースプリッター、ＷＤＭ部品、ＣＷＤＭ部品、及びこれらの組み合わせのうちの少なくとも１つを支持するように構成された、請求項１に記載のエンクロージャ。
【請求項９】
前記スプライストレーが、機械的スプライス及び融着スプライスのうちの少なくとも１つを支持するように構成されたスプライシング領域を含む、請求項１に記載のエンクロージャ。
【請求項１０】
前記少なくとも１つのスプライストレーが、前記エンクロージャ内に配置された積み重ね配列で配置された複数のスプライストレーを含む、請求項１に記載のエンクロージャ。
【請求項１１】
前記エンクロージャが、前記ハウジングの対向する壁上に配置されファイバー分配ケーブルを直列に取り付けるように構成された、ポートの第１のセットを含む、請求項１に記載のエンクロージャ。
【請求項１２】
前記エンクロージャが、複数のドロップファイバーを受容するように構成された付加的なポートを更に含む、請求項１１に記載のエンクロージャ。
【請求項１３】
前記ドロップファイバーが、ケーブル封止部材に固定され、前記ケーブル封止部材が、前記複数のドロップファイバーを受容し誘導する、複数の長手方向に延在する孔を有する弾力性のグロメットを含み、かつ前記グロメットの第１及び第２の端部を覆う第１及び第２の隣接部材を更に含み、各隣接部材が、前記複数のドロップファイバーを更に受容し誘導する、対応する複数の孔を含み、前記隣接部材の１つが、止めねじを受容するように構成されたねじ付きレセプタクルを更に含む、請求項１２に記載のエンクロージャ。
【発明の詳細な説明】
【技術分野】
【０００１】
本発明は、広くは通信用光ファイバーを分配するためのエンクロージャ、より具体的には摘出可能なファイバーオーガナイザーを収容するエンクロージャに関する。
【背景技術】
【０００２】
通信ケーブルは、あらゆる形式のデータを広範なネットワーク全体に配信するために使用されている。通信ケーブルは、保護シース内にある個々の通信回線（光ファイバー又は銅線のいずれか）の束を含むのが普通である。通信ケーブルが、データネットワークの隅から隅まで張り巡らされているので、その中の１つ以上の通信回線をスプライスして、これによりデータを通信ネットワークの他のケーブル又は「分岐」へ分配することが可能になるようにケーブルを定期的に開くことが必要である。ケーブル分岐は、ネットワークが個々の住宅、企業、事務所、敷地などに達するまで、更に分配され得る。
【０００３】
電気通信ケーブルが開けられる各地点には、露出したケーブル内部を保護するために、何らかのタイプのエンクロージャが設けられる。一般に、エンクロージャは、１つ以上のポートを有しており、このポートを通してケーブルがエンクロージャに導入され、及び／又はエンクロージャから導出される。ひとたびエンクロージャ内部に入ると、その中の通信回線を露出させるためにケーブルが開かれる。従来の通信エンクロージャは、個々の通信回線及びそのスプライスの管理及び保護を容易にするよう構成される。
【０００４】
例えば、ある種のファイバー・トゥ・ザ・エックス（ＦＴＴＸ）配備については、サービス提供者は通常、集合住宅（ＭＤＵ）、個人宅、又は企業の１階、各階、又は数階ごとに、エンクロージャ（ファイバー分配端子（ＦＤＴ）としても知られている）を敷設する。ＦＤＴは建物の立ち上りケーブルを、（ＭＤＵ又は特定の階の）各居住ユニットへ延びる水平ドロップケーブルに接続する。ドロップケーブルは、ある住居ユニットの居住者がサービスを要請した場合のみＦＤＴ内で立ち上がりケーブルにスプライスされる。
【発明の概要】
【発明が解決しようとする課題】
【０００５】
既存のＭＤＵをＦＴＴＸネットワークに接続することは、多くの場合、難しい可能性がある。難点としては、建物へのアクセスの獲得、立ち上がりクローゼット内の限られた配線スペース、並びにケーブルルーティング及び管理のためのスペースが挙げられる。
【課題を解決するための手段】
【０００６】
一態様では、本明細書に記載する本発明の実施形態は、通信用光ファイバーを分配するためのエンクロージャを提供する。このエンクロージャは、分配ケーブルからの少なくとも１つの光ファイバー及び少なくとも１つのドロップファイバーを収容するハウジングと、ハウジング内に配置可能な、摘出可能なファイバーオーガナイザーと、を含む。摘出可能なファイバーオーガナイザーは、ファイバーランプに回転可能に結合された少なくとも１つのスプライストレーを含み、ファイバーランプは、ハウジング内に分離可能に配置される。ファイバーたるみ収納ユニットが、ハウジング内に配置され、このファイバーたるみ収納ユニットは、ファイバーのたるみを巻き取るように構成されたファイバーたるみ収納トレーを含む。
【０００７】
本発明の上記の概要は、本発明の図示された各実施形態又はすべての実施を説明しようとするものではない。以下の図面及び発明を実施するための形態は、これらの実施形態をより具体的に例示する。
【図面の簡単な説明】
【０００８】
本発明の実施形態は、以下の図面を参照することによってよりよく理解される。図面の要素は、相互に対して必ずしも同じ縮尺比ではない。
【図１Ａ】本発明の一態様によるファイバー分配エンクロージャの等角図。
【図１Ｂ】スプライストレーが動作位置にある、本発明の一態様によるファイバー分配エンクロージャの等角図。
【図２Ａ】ファイバーオーガナイザーがベースユニットから取り外された、本発明の一態様によるファイバー分配エンクロージャの等角図。
【図２Ｂ】本発明の一態様による摘出可能なファイバーオーガナイザーの取り付けランプ部分の等角図。
【図２Ｃ】本発明の一態様によるファイバー分配エンクロージャ及びこのエンクロージャ内に配置された立ち上りケーブルの等角図。
【図３】上にカバーが配置された、本発明の一態様によるファイバー分配エンクロージャの等角図。
【図４】本発明の別の態様によるケーブル封止装置の分解組立図。
【図５】本発明の代替的態様による代替的グロメット構造の図。
【図６Ａ】本発明の代替的態様によるケーブル導入装置の図。
【図６Ｂ】本発明の代替的態様によるケーブル導入装置の図。
【０００９】
本発明は様々な変更例及び代替形状が可能であるが、その具体例を一例として図面に示すとともに詳細に説明する。しかしながら、本発明を記載される特定の実施形態に限定しようとするものではないことが理解されるべきである。逆に、添付の請求の範囲に記載した発明の範囲を逸脱することなく、あらゆる変更、均等物、及び代替物が含まれることを意図している。
【発明を実施するための形態】
【００１０】
以下の発明を実施するための形態では、本明細書の一部を構成する添付の図面を参照し、本発明を実施することができる特定の実施形態を例として示す。この点に関して、「上」、「底」、「前」、「後」、「先」、「前方」、「後方」などのような方向用語は、説明する図の配向に関して用いられている。本発明の実施形態の構成要素は多くの異なる方向に置かれ得るので、方向に関する用語は、説明のために使われるものであって、決して限定するものではない。他の実施形態を使用してもよく、また本発明の範囲から逸脱することなく構造上又は論理上の変更を成してもよいことが理解されるべきである。したがって、以下の詳細説明は、限定する意味で理解されるべきではなく、本発明の範囲は、付随する請求項によって定義される。
【００１１】
本発明は、摘出可能なファイバーオーガナイザーを収容するエンクロージャを含むことで、敷設者又はサービス技術者がより自由にファイバー分配点にアクセスできるようになる、ファイバー分配システムを目的とする。具体的には、摘出可能なファイバーオーガナイザーを備えたファイバー分配システムの構造により、敷設者又はサービス技術者は、特に立ち上がり又は地中チャンバ内に位置するエンクロージャについて、ファイバースプライスに対する作業が快適な姿勢で行えるようになる。更に、この摘出可能なファイバーオーガナイザーにより、他の顧客に対するサービスを妨げることなくファイバードロップを付加又は除去する、より簡単な方法が得られる。
【００１２】
図１Ａ及び１Ｂは、代表的なファイバー分配エンクロージャ１００（これはクロージャ、ボックス、又はファイバー分配端子（ＦＤＴ）とも称されることがある）を示す。代表的なエンクロージャ１００（図１にはカバーを取り除いた開状態で示してある−図３のカバー１９０参照）は、ファイバーオーガナイザー１３０を収容するように構成されたベースユニット１１０を含む。ファイバーオーガナイザー１３０はスプライストレー部１５０を含むが、このトレー部は１つ以上の代表的なスプライストレーを含み得る（本実施例では２つのスプライストレー１５１ａ及び１５１ｂが示されている）。スプライストレー部１５０は、ファイバーランプ１４０に結合されているが、このランプはベースユニット１１０に取り外し可能に結合されている。換言すれば、技術者又はユーザは、必要に応じて、ファイバーオーガナイザー１３０（ランプ１４０及びスプライストレー部１５０を含む）をベースユニット１１０から簡単な方法で取り外すことができる。
【００１３】
図１Ａ及び１Ｂに示すように、ファイバー分配エンクロージャ１００は多階層構造を有し、第１の階層１３０はファイバーを整理するように構成され、第２の階層は、ベースユニット１１０の空洞区域１１３内に含まれる、たるみ収納領域１２０として構成されている。たるみ収納領域１２０は、立ち上がりケーブル（図示せず）に結合するか又は結合し得る余分なドロップケーブルファイバーを収納するように構成されている。立ち上がりケーブルの一部分をエンクロージャ１００内に配置することにより、この立ち上がりケーブルからの１つ以上の個々の通信用ファイバーへのアクセスが可能となる。
【００１４】
エンクロージャ１００は、いずれの標準形状をとることもできる。好ましい一態様では、エンクロージャは、限られた空間領域内で使用するために寸法を縮小した長方形をとることができる。ベース、カバー、たるみ収納、及びファイバーオーガナイザー１３０をはじめとするエンクロージャ１００の種々の部品並びにそれらの要素は、好適ないずれの材料によって形成されてもよい。これらの材料は、意図する用途に応じて選定され、ポリマー及び金属の両方を含んでもよい。一実施形態では、ベース及びカバー、並びにその他の部品は高分子材料から、例えば射出成形、押出成形、注型、機械加工などの方法によって形成される。あるいは、部品は金属から、鋳造、注型、鍛造、機械加工などの方法によって形成されてもよい。材料選定は、少し挙げただけでも、化学薬品曝露条件、温度及び湿度条件を含む環境曝露条件、難燃性要件、材料強度、並びに剛性などを含むがこれらに限定されない要因に依存する。
【００１５】
エンクロージャ１００のベース１１０は、通信ケーブルを受容及び分配するための、１つ以上のポートを含むことができる。例えば、図１Ａに示すように、１つ以上のポート１１１ａ、１１１ｂ、１１２ａ、１１２ｂが、分配／立ち上がり及びドロップケーブルを受容するように構成され得る。この特定の実施例では、分配ケーブルが、ポート１１２ａと１１２ｂとの間で直列にエンクロージャ１００に導入され、またエンクロージャ１００から導出される（図２Ｃも参照）。ポート１１２ａ及び１１２ｂで用いられるケーブル導入装置１６１の構成は、図６Ａ及び６Ｂに関して以下により詳細に説明する。加えて、１つ以上のポート１１１ａ、１１１ｂは、特定の顧客又は敷地にファイバーを供給する１つ以上のドロップケーブルを通過させるように構成することができる。これらのポートは単一ケーブル又は複数ケーブルを通過させることができ、所望により保持部材又は封止部材、例えば図４により詳細に示す代表的な封止部材１７０と組み合わせてもよい。ベース１１０は、１つ、２つ、又は特定のエンクロージャに必要とされる任意の数のポートを有してもよい。加えて、これらのポートは、標準ケーブルインレット装置を受容するように構成されてもよい。
【００１６】
一態様では、スプライストレー部１５０は、１つ以上の代表的なスプライストレー１５１ａ、１５１ｂを含む。小さめのエンクロージャであれば、スプライストレーの数は１〜８程度であり得る。当業者であれば本説明から理解されるように、大きめのベースユニットであれば、はるかに多数のスプライストレーを収容することになるであろう。スプライストレー１５１ａ、１５１ｂを備えることで、例えば分配ケーブルファイバーをドロップケーブルファイバー又は他のケーブルファイバーに接続して、通信信号を意図した方法で配信することができるようになる。
【００１７】
好ましい一態様では、このスプライストレーは回転可能である。例えば、図１Ａでは、スプライストレー１５１ａ、１５１ｂは、直立位置まで回転されている。図１Ｂでは、スプライストレー１５１ａ、１５１ｂは、ベースユニット内に、これらトレーの通常の動作位置に積み重ね配列で配置されている。図１Ｂに示すように、代表的なスプライストレー１５１ａは、ほぼ長方形又は楕円形の構造体として形成され得る。一貫して「スプライストレー」の用語を用いてはいるが、以下により詳細に説明するように、代替的な態様では、トレー１５１ａ、１５１ｂは、スプライスとともに、受動的及び／又は能動的な光学部品を保持することができる。
【００１８】
好ましい一態様では、スプライストレー１５１ａ（及びそのエンクロージャの他のスプライストレー）は、少なくとも１つのラッチ機構を含み、これによって、スプライストレーが、取り付けランプ１４０に固定されている場合でも、回転することができる。より詳細には、スプライストレー１５１ａは、スプライストレー１５１ａの本体の外側部分上に形成されたラッチ機構１５２を含む。このラッチ機構は、結合部分１５４及び１つ以上のファイバー導入／導出チャネル１５６、１５７を含み得る。結合部分１５４はロッドとして形成することができ、（例えばスナップ嵌合によって）取り付けランプ１４０のフック部分１４７（図２Ｂ参照）に結合させることにより、スプライストレー１５１ａを回転可能に結合することができる。あるいは、当業者には本説明から明白であるように、結合機構は異なる構成を有してもよい。
【００１９】
好ましい一態様では、ファイバー導入／導出チャネル１５６、１５７は、スプライストレー本体の主たる領域から離れて延在する拡張部として形成される。加えて、ファイバー導入／導出チャネル１５６、１５７は、ラッチ領域からわずかに湾曲した構成で延在することで、スプライストレーにより受容される導入／導出ファイバーに、可能性として考えられるもつれ又は意図しない屈曲が生じることを防ぐことができる。
【００２０】
加えて、ファイバー導入／導出チャネル１５６、１５７は、スプライストレー１５１ａが前後に回転する際に、導入／導出ファイバーを継続的に支持する。好ましい一態様では、チャネル１５６、１５７は、断面に（比較的）深い「Ｕ」字形をもたせて形成され、スプライストレーが完全に倒された場合でも、その中に配置されたファイバーを支持する。更に、ラッチがかかった状態では、ファイバー導入／導出チャネル１５６、１５７は、取り付けランプ１４０上に形成されたファイバー誘導チャネル１４４ａ、１４４ｂ内へと延在し得る。これにより、スプライストレーへとルーティングされ、又はスプライストレーからルーティングされるファイバーを、継続的に支持することが可能である。
【００２１】
分配ケーブル／ドロップケーブルからのファイバーは、ファイバー導入／導出チャネル１５６、１５７内に受容された後、スプライシング領域１８０へとルーティングされる。スプライシング領域１８０は、そのファイバーに対して行われる機械的及び／又は融着スプライスに対応するように構成されている。この機械的又は融着スプライスは、単一ファイバー、又は束若しくはリボンファイバーのものであってもよい。例えば、１つ以上のファイバーがスプライシング部分１８４に誘導されるが、この部分は、１つ以上の機械的／融着スプライスを（例えばスナッグ嵌合又はスナップ嵌合により）しっかりと保持するように構成されている。一態様では、スプライシング部分１８４は、１つ以上の４×４  ＦＩＢＲＬＯＫ（商標）スプライス（３Ｍ  Ｃｏｍｐａｎｙ、Ｓｔ．Ｐａｕｌ  ＭＮより市販）を保持するように設計された、多くの弾力的クリップ又は他のホルダーを含むことができる。スプライシング部分１８４は、トレー１５１ａの一体部分として形成することができる。あるいは、トレー１５１ａは、スプライシング領域１８０に切り抜きをもたせて形成することで、用途に応じて異なるスプライシングインサート（例えば、１つ以上の融着スプライスに対応するように構成されたインサート又は１つ以上の機械的スプライスに対応するインサート）をトレーに取り付けられるようにしてもよい。好ましい一態様では、スプライシング領域１８０は、６０ｍｍの長さ又は４５ｍｍの長さのいずれかを有する１つ以上のスプライスを固定するように構成される。
【００２２】
代替的な実施形態では、スプライシング領域１８０は、積み重ね配列に形成された複数の機械的及び／又は融着スプライスに対応できるように構成され得る。
【００２３】
ファイバーは、簡単な方法で（かつファイバーをその最小曲げ半径を超えて屈曲させることなく）ファイバーの方向転換を可能にする、１つ以上のファイバールーティング構造１６２を介して、スプライシング領域１８０へとルーティングされる。ファイバールーティング構造１６２はまた、導入／導出ファイバーのある程度のたるみ収納を提供することができる。更なるファイバー誘導構造１６４及びタブ１６５をスプライストレー１５１ａ内に形成することによって、スプライシングされるファイバーを保持、ルーティング、及び支持するようにしてもよい。
【００２４】
代替的な一態様では、スプライシング領域１８０は、任意の数の異なる受動的及び／又は能動的光学部品を保持又は固定するように構成することができる。例えば、スプライシング領域１８０は、１つ以上の１×Ｎ光ファイバースプリッター、２×Ｎ光ファイバースプリッター、ＷＤＭ部品、ＣＷＤＭ部品、スイッチ、マルチプレクサ、トリプレクサ、デュープレクサ、検出器、鏡、レーザー、増幅器又はこれらの組み合わせを保持又は固定するように構成することができる。
【００２５】
一実施形態では、第１のスプライストレー１５１ａは、１つ以上のスプライスを保持するように構成されてよく、第２のスプライストレーは１つ以上の受動的及び／又は能動的光学部品を保持するように構成されてよい。また、各スプラストレーは、取り外し可能なカバー（図示せず）、例えばプラスチックの、好ましくは透明なカバーを更に含んでもよい。好ましくは、このカバーは、スプライストレー上に単純なスナップ嵌合を介して取り付けられ得る。
【００２６】
上述したように、好ましい態様では、技術者又はユーザは，必要に応じて、ファイバーオーガナイザー１３０（ランプ１４０及びスプライストレー部１５０を含む）をベースユニット１１０から簡単な方法で取り外すことができる。図２Ａは、ベースユニットから取り外されたファイバーオーガナイザー１３０を示す。より詳細には、図２Ｂは、分配及びドロップファイバーをたるみ収納領域１２０からスプライストレーへとルーティングする取り付けランプ１４０の拡大等角図を示す。ファイバーは、導入／導出部分１４１ａ、１４１ｂを介して取り付けランプ１４０に導入され、また取り付けランプ１４０から導出される。一態様では、この「導入／導出部分１４１ａ、１４１ｂは、導入／導出ファイバーの余分な動きを制限する保持構造１４２ａ、１４２ｂを更に含む。一態様では、保持構造１４２ａ、１４２ｂは、ファイバーをぴったり保持し、全放射状の支持を提供する、支持ガスケット又はチューブ（図示せず）をぴったり受容するように、構成される。代表的な一態様では、ゴムチューブが、導入部分１４１ａにおいてファイバーをぴったり保持し、不注意な牽引力に対抗する軸のひずみの緩和をもたらす。
【００２７】
取り付けランプ１４０は、ファイバーの更なる誘導及び支持のために、ランプチャネル１４４ａ、１４４ｂ内に配置された１つ以上のファイバー保持構造１４３ａ及び１４３ｂを更に含む。これらのランプチャネル１４４ａ、１４４ｂは、そこに取り付けられたスプライストレーのファイバー導入／導出チャネル１５６、１５７へ／から、緩やかな屈曲領域１４５ａ／１４５ｂ（この領域内に配置されるファイバーの最小曲げ半径を超えない）の周囲に沿って導入／導出ファイバーを誘導するように構成されている。加えて、上述したように、スプライストレーの結合部分１５４（図１Ｂ参照）はロッドとして形成されることができ、取り付けランプ１４０のフック部分１４７に（例えばスナップ嵌合により）結合されて、スプライストレーをエンクロージャに回転可能に結合することができる。
【００２８】
一態様では、取り付けランプ１４０は、ベースユニット１１０に形成された孔１１９（図２Ａ参照）に対し解除可能に係合（例えば単純な干渉又はスナップ嵌合による）するように構成された、１つ以上の取り付けポスト１４８（図２Ｂ参照）を介して、ベースユニット１１０に結合される。取り付けポスト１４８は、ベースユニット１１０の１つ以上の内壁面上に形成された１つ以上の取り付けスロット１１５により、孔１１９に向けて誘導される。この実施例では、取り付けポスト１４８のフランジ部分１４９が摺動して取り付けスロット１１５（図２Ａ参照）に受容される。作業中、技術者又はユーザは、取り付けランプ１４０に適度な牽引力を単に加えることによって、ファイバーオーガナイザー１３０をエンクロージャから取り外すことができる。このように、技術者又はユーザは、次いで、取り外したオーガナイザーを作業面（例えば床、張り出し、棚、作業台、又はテーブル）上で、エンクロージャ１００又はその近くのより便利な位置に置くことができる。
【００２９】
図２Ａの実施例に示すように、ベースユニット１１０は、中に付加的エンクロージャ部品を受容するように構成された、複数の取り付けスロット１１５を含み得る。例えば、たるみ収納トレー１２２が、ベースユニット１１０の空洞領域１１３内に受容され得る。図２Ａに示すように、たるみ収納トレー１２２は、１つ以上の取り付けスロット１１５により摺動可能に受容されるように構成された、ハンドル１２３を含む。エンクロージャのたるみ収納領域１２０は、エンクロージャ内の余分なドロップ及び分配ファイバーを巻き取る助けとなる、１つ以上のファイバールーティング構造１２５を有する、たるみ収納トレー１２２を含む。好ましい一態様では、たるみ収納トレー１２２は、余分なファイバーを約０．５メートル〜約３メートル収納することができる。たるみ収納トレー１２２も、ベースユニット１１０から取り外し可能であってよく、その結果、スプライシング及び他の作業のために、ファイバーオーガナイザー及びたるみ収納トレーを取り外すことができる。
【００３０】
１つ以上のファイバーアンカー１１６を用いることによって、ベースユニットの空洞１１３内における付加的ファイバー保持がもたらされ得る。このアンカー装置１１６は、ファイバーを巻き付け、ファイバーをつかんで、束を形成し、アンカーを取り付けスロット１１５内に取り付ける間、所定の位置に保持される。これによりファイバー束は、作業中、たるみ収納領域内に維持又は保持され得る。技術者がエンクロージャに再度手を入れてドロップケーブルを付加又は除去する必要がある場合には、たるみ収納トレー１２２と同様に、アンカー１１６によって保持されたファイバー束に容易にアクセスし、これを取り出すことができる。
【００３１】
また、図２Ａに示すように、ベースユニット１１０は、従来の締結具又は壁取り付け具を受容するように構成された１つ以上の取り付け孔１１７を介して、壁又はその他の表面に取り付けることが可能である。
【００３２】
図２Ｃに示すように、エンクロージャのベースユニット１１０は、標準立ち上がりケーブル、例えば立ち上がりケーブル１０５を、ケーブル１０５の一部分がポート１１２ａと１１２ｂとの間に配置されるように、直列に収容することができる。ケーブル１０５から１つ以上の分配ファイバー１０６ａ、１０６ｂを取り出して、１つ以上のドロップファイバー１０８とスプライスしてもよい。ファイバーは、標準的な光通信ファイバー、例えば、外径９００μｍのバッファークラッド、２５０μｍのバッファークラッド、又は外径がより大きい若しくはより小さいファイバーバッファークラッドなどの標準的な光ファイバーバッファークラッドを有するファイバーであってよい。
【００３３】
上述したように、エンクロージャ１００は、エンクロージャの中身を保護するためのカバーを含む。一態様では、図３において、代表的なカバー１９０を備える。カバー１９０は、１つ以上のねじ孔１１８ａ、１１８ｂ（図１Ａ参照）に取り付けるための従来の締結具、例えばねじによって、ベースユニット１１０に締結させることができる。本記述から当業者には明白であるように、代替的な締結装置もまた、使用可能である。
【００３４】
ドロップファイバーは、１つ以上のポート、例えば図１Ａに示されるポート１１１ａ又は１１１ｂを介して、エンクロージャに導入され／エンクロージャ１００から導出されることができる。図４に示すような代表的なファイバー保持又は封止部材１７０を用いて、１つ以上のファイバーを保持することが可能である。ファイバー保持又は封止キャップ１７０は、複数の長手方向に延在する孔１７３ａを含むグロメット１７３を含んでよく、この孔１７３ａが、グロメット１７３を通して複数のファイバーを受容し誘導する。グロメットは、弾力的材料、例えばゴム系の材料を含むのが好ましい。ファイバー保持又は封止キャップ１７０は、グロメット１７３の第１及び第２の端部を覆う第１及び第２の隣接部材１７１、１７２を更に含み得る。各隣接部材は、対応する複数の孔１７１ａ、１７２ａ（すなわち、ガスケット１７３に形成された孔１７３ａに対応する）を含んで、複数のファイバーを更に受容し誘導する。位置合わせの目的で、隣接部材の一方又は両方は、封止部材と同様、ポート１１１ａの内壁上に形成されたキー又は突起１１４に係合するように構成された、１つ以上の誘導スロット１７６を含む。所望により、ドロップファイバーが占めていないとき、１つ以上のプラグ（本実施例では１７８ａ〜１７８ｆ）を用いて、使用されていないファイバー誘導孔を塞いでもよい。
【００３５】
加えて、隣接部材の１つは、止めねじ１７９を受容するように構成されたねじ付きレセプタクル１７７を更に含む。作業に際しては、止めねじ１７９を回し、グロメット１７３を隣接部材の間で圧迫することで、グロメットが、ポート１１１ａの内壁に対して、またこのグロメットに挿入されている任意のケーブル又はプラグの周囲で、放射状に拡張する。
【００３６】
代替的な一態様では、グロメット１７３’を図５に示すように構成することができる。この代替的な態様では、グロメットは弾力的材料により形成されるが、ファイバー導入孔１７３ａ’のそれぞれは材料の薄膜によって覆われており、これを通してドロップファイバーが挿入される際にはじめて穿孔される。また、グロメット１７３’のファイバー導入孔１７３ａ’のそれぞれは、より小さい直径のファイバー／ケーブルを受容するように構成することができる。この態様では、隣接部材に形成された各孔を通して２つのファイバー／ケーブルを挿入することができる。
【００３７】
ポート１１２ａ及び１１２ｂを用いて、立ち上がりケーブル１０５が導入／導出される。図６Ａ及び６Ｂは、ポート１１２ａ及び１１２ｂに配置することができる代表的なケーブル導入装置１６１の詳細図を示す。好ましい一態様では、ケーブルポート１１２ａ、１１２ｂ（図１Ａ参照）のそれぞれには、スロットを備えた部分が嵌められており、これによってケーブル導入装置の対応する本体部分１６３を摺動的に受容する。ケーブル導入装置１６１はまた、１つ以上のケーブル支持構造１６４ａ、１６４ｂを含んで、導入／導出ケーブルを支持する。ケーブル支持構造１６４ａ、１６４ｂのそれぞれは、拡張部を含むことができ、これにより、従来のケーブルタイ又はケーブルクランプを用いて簡単にケーブルを固定することができる。このように、立ち上がりケーブル上の軸のひずみが大幅に減少し得る。加えて、ケーブル導入装置１６１は、ケーブル導入装置の本体１６３内に形成されたスロット１６５によって摺動的に受容される、カバープレート又はガスケット１６７を含む。このカバープレート又はガスケット１６７は、打ち抜き及び／又は切り抜き部分１６８を含んで、立ち上がりケーブルの周囲を囲み、かつ外部要素がエンクロージャに入るのを低減させる。カバープレート又はガスケット１６７に（例えばガスケットの底部分に）単純な切除を施すことで、カバープレート又はガスケット１６７が立ち上がりケーブル上又はその周囲に配置されるようにすることができる。
【００３８】
図１Ａ〜１Ｂ及び２Ａ〜２Ｃで上に示したような、摘出可能なファイバーオーガナイザーを備えたファイバー分配システムの構造によって、敷設者又はサービス技術者は、特に立ち上がり又は地中チャンバ内に位置するエンクロージャについて、ファイバースプライスに対する作業が快適な姿勢で行えるようになる。例えば、作業中（上述した参照番号を例として用いれば）、エンクロージャのベースユニット１１０は、建物又は敷地において、又はそれらの内部で、立ち上がり又は他の通信ステーション内の部屋又はキャビネットの壁に取り付けられ、又は締結され得る。分配ファイバー及びドロップ線１０８は、同一方向に誘導され、ファイバーアンカー１１６によって束ねられることができる。ファイバーオーガナイザーは、エンクロージャから取り外し、エンクロージャから離れた作業空間に設置することができる。スプライスすべきファイバーを準備し（すなわち、ジャケット／バッファーが除去される、剥ぎ取られるなど）、次いでスプライストレーの１つにルーティングする。このスプライシング作業は、従来の機械的又は融着スプライシング法を用いて遂行し得る。
【００３９】
１つ又は複数のファイバーをスプライスした後、余分なファイバーを、たるみ収納領域内部に巻き取ることができる。ケーブル導入ポートは固定されてよい。ファイバーオーガナイザー１３０はエンクロージャに戻してよく、アンカーは取り付けスロット１１５の１つを介してベースユニット内に取り付けてよい。スプライストレーはその通常の使用位置に傾けてよく、カバー１９０はベースユニット上に取り付けてよい。敷設者がエンクロージャ内に再度手を入れる必要があれば、ファイバー束をファイバーオーガナイザー、及び場合によってはたるみ収納トレーとともに取り出すことができる。導入ポートグロメットを通してドロップファイバーを付加することができ、その新しいドロップは、先述したのと同じ方法でスプライスすることができる。その後、各部品を以前の位置に戻すことができる。
【００４０】
このように、本発明の実施形態は、他の顧客へのサービスを妨げることなくファイバードロップをより簡単に付加又は除去することを提供する、摘出可能なファイバーオーガナイザーを含む、コンパクトなファイバー分配エンクロージャを目的とする。
【００４１】
好ましい実施形態の説明の目的のために、特定の実施形態を本明細書で例示し記述したが、様々な代替又は同等な実施が、本発明の範囲に逸脱することなく、図示及び説明された特定の実施形態と置き換わり得ることを、当業者は理解するであろう。当業者は、本発明が様々な実施形態において実施されてもよいことを容易に理解するであろう。本出願は、本明細書で説明された実施形態のいかなる翻案又は変形をも包含すべく意図されている。
【図１Ａ】
2012503785.tif 000003
【図１Ｂ】
2012503785.tif 000004
【図２Ａ】
2012503785.tif 000005
【図２Ｂ】
2012503785.tif 000006
【図２Ｃ】
2012503785.tif 000007
【図３】
2012503785.tif 000008
【図４】
2012503785.tif 000009
【図５】
2012503785.tif 000010
【図６Ａ】
2012503785.tif 000011
【図６Ｂ】
2012503785.tif 000012
【国際調査報告】
2012503785.tif 000013
2012503785.tif 000014
2012503785.tif 000015